(57)【特許請求の範囲】
【請求項１】
信号記録用の浮上型磁気ヘッド(３)と信号再生用の光学式ピックアップ(４)とが、光磁気ディスク(１)の両面に対向して配備されると共に、サスペンションアーム(３１)の基端部に設けられたベース部材（４６）と光学式ピックアップ(４)とが連結部材（４４）により電気的に絶縁されずに繋がっており、光磁気ディスク(１)の半径方向へ往復駆動されるレーザパルス磁界変調方式の光磁気ディスク記録再生装置において、
前記浮上型磁気ヘッド(３)は、前記サスペンションアーム(３１)の先端部に取り付けられ、前記浮上型磁気ヘッド(３)に記録信号を供給するためのリード(３５)が前記サスペンションアーム(３１)に沿って伸びており、前記サスペンションアーム(３１)の基端部と前記ベース部材（４６）との間に、前記サスペンションアーム(３１)と前記光学式ピックアップ(４)を互いに電気的に絶縁する絶縁部材を介在させ、前記サスペンションアーム(３１)に発生する誘導電流を前記光学式ピックアップ（４）に流さないことを特徴とする光磁気ディスク記録再生装置。
【請求項２】
信号記録用の浮上型磁気ヘッド(３)と信号再生用の光学式ピックアップ(４)とが、光磁気ディスク(１)の両面に対向して配備される共に、サスペンションアーム(３１)の基端部に設けられたベース部材（４４）と光学式ピックアップ(４)とが連結部材（４４）が電気的に絶縁されずに繋がっており、光磁気ディスク(１)の半径方向へ往復駆動されるレーザパルス磁界変調方式の光磁気ディスク記録再生装置において、
前記浮上型磁気ヘッド(３)は、前記サスペンションアーム(３１)の先端部に取り付けられ、前記浮上型磁気ヘッド(３)に記録信号を供給するためのリード(３５)は、前記サスペンションアーム(３１)の先端部から、アーム長手方向とは交叉する方向に伸びていることを特徴とする光磁気ディスク記録再生装置。
【発明の詳細な説明】
【０００１】
【発明の属する技術分野】
本発明は、光磁気ディスクを信号記録媒体として、浮上型磁気ヘッドによって信号の記録を行なう一方、光学式ピックアップによって信号の再生を行なう光磁気ディスク記録再生装置に関するものである。
【０００２】
【従来の技術】
一般に、ＭＤ(ミニディスク)やＭＯディスクを信号記録媒体とする記録再生装置においては、図７及び図８に示す如く、光学式ピックアップ(４)を搭載した往復台(41)が一対のガイドシャフト(42)(43)によって往復移動を案内されており、該往復台(41)には、図示省略する往復駆動機構が連繋して、往復台(41)の往復駆動が行なわれる。又、往復台(41)の上方位置には、カートリッジホルダー(８)が配備されており、該カートリッジホルダー(８)内に光磁気ディスク(１)を装填することによって、光学式ピックアップ(４)による信号の再生が可能となる。
【０００３】
往復台(41)の端部には、コ字状を呈する連結部材(44)の下端部が連結され、該連結部材(44)の上端部には、シャフト(32)が水平に架設され、該シャフト(32)には、ベース部材(46)の基端部が連結されている。又、シャフト(32)には、トーションスプリング(33)が取り付けられ、該トーションスプリング(33)によって、ベース部材(46)が図８における反時計方向に回転付勢されている。
ベース部材(46)には、カートリッジホルダー(８)の上面に沿って伸びるサスペンションアーム(31)の基端部が連結されている。該サスペンションアーム(31)の先端部には、浮上型磁気ヘッド(３)が取り付けられており、該浮上型磁気ヘッド(３)によって、カートリッジホルダー(８)内の光磁気ディスク(１)に対して信号の記録を行なうことが出来る。
【０００４】
カートリッジホルダー(８)の上面には、アーム(31)の下方位置に、平板状のリフター(51)が配備され、該リフター(51)の基端部が枢軸(52)(52)によってカートリッジホルダー(８)上に枢支されている。
又、カートリッジホルダー(８)の上面には、Ｔ字状のスライド板(81)が往復移動可能に設置されている。該スライド板(81)の側面には、ラック(62)が取り付けられており、該ラック(62)は歯車列(61)を介してカートリッジホルダー(８)上のリフトモータ(６)に連繋している。従って、リフトモータ(６)の駆動によって、スライド板(81)を往復移動させることが出来る。
【０００５】
スライド板(81)には、リフター(51)側の端部に、リブ(83)が上向きに突設され、該リブ(83)の上端面には、図７に示す如く斜面を含むカム面(54)が形成されている。一方、リフター(51)の端部には、カム面(54)と係合するカムフォロワー(53)が突設されている。
従って、カートリッジホルダー(８)の往復移動に伴って、カム面(54)がカムフォロワー(53)を駆動し、これによってリフター(51)が昇降駆動されることになる。
【０００６】
例えば、スライド板(81)が図７に示す右方の移動端に設置されている状態では、カムフォロワー(53)がカム面(54)の低位部に摺接している。従って、リフター(51)及びアーム(31)はトーションスプリング(33)の付勢により下方へ回動している。この結果、浮上型磁気ヘッド(３)は下降位置に設定されて、カートリッジホルダー(８)内の光磁気ディスクに摺接することになる。
この状態から、リフトモータ(６)が起動して、スライド板(81)が左方へ駆動されると、これに伴ってカム面(54)がカムフォロワー(53)を押圧して、リフター(51)を押し上げ、更に、このリフター(51)がトーションスプリング(33)に抗してアーム(31)を押し上げる。これに伴って、浮上型磁気ヘッド(３)が上昇し、光磁気ディスクから離間することになる。
【０００７】
尚、ベース部材(46)とサスペンションアーム(31)の基端部とは、図５及び図６に示す如く互いに重ね合わされ、この重ね合わせ部に金属製のビス(76)がねじ込まれて、両者が連結されている。
又、サスペンションアーム(31)の上面には、サスペンションアーム(31)の長手方向に沿って、浮上型磁気ヘッド(３)に記録信号を供給すべきフレキシブルリード(35)が添設されており、該フレキシブルリード(35)の基端部は、図示省略する磁気ヘッド駆動回路に接続されている。
【０００８】
ＭＤを記録媒体とする光磁気ディスク記録再生装置においては、信号記録方式として磁界変調方式が採用され、磁気ヘッド(３)による信号記録時には、光磁気ディスク(１)の光記録層に対して１００〜３００Ｏｅの強度を有する磁界が印加され、１.４Ｍｂｐｓ程度のデータ転送レートで信号の記録が行なわれる。ここで、光磁気ディスクの磁気層の温度を上昇させるためのレーザ光は、強度が一定に維持され、磁界強度を記録データに応じて変調することによって、データの長さに応じた磁区が変調信号と同じく正負の方向を向き、信号が記録される。
【０００９】
一方、ＭＯディスクを記録媒体とする光磁気ディスク記録再生装置においては、信号記録方式として光強度変調方式が採用され、先ず光磁気ディスクに対してある方向に外部磁界をかけてデータ領域を同じ向きに磁化させ、次に外部磁界の向きを反対に向けて、反転させたいところだけレーザ強度を大きくして、信号の記録が行なわれる。
【００１０】
ところで、近年、ＡＳＭＯ(Advanced Storage Magneto Optical System)と称される新しい方式の光磁気ディスク記録再生装置が提案されており、近く実用化される予定である。ＡＳＭＯ方式の光磁気ディスク記録再生装置においては、記録方式として、磁界を高速で切り替えると同時に、レーザパルスも高速に切り替えるレーザパルス磁界変調方式が採用されており、データ転送レートは５０Ｍｂｐｓまで規格化されている。
【００１１】
【発明が解決しようとする課題】
しかしながら、ＡＳＭＯ方式の光磁気ディスク記録再生装置においては、信号記録時にレーザパワーが変動し易く、この結果、隣接するトラックの信号を消去してしまう虞れがあった。
そこで本発明の目的は、レーザパルス磁界変調方式を採用している光磁気ディスク記録再生装置において、信号記録時のレーザパワーの変動を抑制することである。
【００１２】
【課題を解決する為の手段】
本発明者らは、上記目的を達成するべく鋭意研究を重ねた結果、次の様にレーザパワー変動の原因を究明し、本発明の完成に至った。
即ち、レーザパルス磁界変調方式を採用している光磁気ディスク記録再生装置においては、信号記録時に磁界及びレーザパルスを高速で切り替えるために、図５に示すフレキシブルリード(35)に、高周波数(最高２５ＭＨｚ)のパルス電流が流れる。ここでフレキシブルリード(35)は、図示の如くサスペンションアーム(31)に添って伸びているため、サスペンションアーム(31)に大きな誘導電流が流れることになる。サスペンションアーム(31)は、ベース部材(46)及び連結部材(44)を介して、光学式ピックアップ(４)のベース体に電気的に繋がっているので、サスペンションアーム(31)に流れる大きな誘導電流によって、光学式ピックアップ(４)のベース体の電位、従って、該ベース体に搭載されているレーザ駆動用ＩＣのグランド電位が揺さぶられ、レーザパワーに変動が発生するのである。
【００１３】
尚、ＭＤを記録媒体とする光磁気ディスク記録再生装置においては、磁界の変調によって誘導ノイズが発生するが、レーザ強度が一定であるので、誘導ノイズの影響は受け難い。又、ＭＯディスクを記録媒体とする光磁気ディスク記録再生装置においては、外部磁界を高速で切り替えることがないので、誘導ノイズの影響は受けない。
【００１４】
本発明に係る光磁気ディスク記録再生装置は、レーザパワー変動の原因となる誘導電流の影響を効果的に抑制するための構造を具えたものであって、第１の特徴的構成において、サスペンションアーム(31)の基端部と光学式ピックアップ(４)とを連結する連結機構に、サスペンションアーム(31)と光学式ピックアップ(４)を互いに電気的に絶縁する絶縁部材が介在している。
【００１５】
上記本発明の光磁気ディスク記録再生装置においては、サスペンションアーム(31)と光学式ピックアップ(４)とが互いに電気的に絶縁されているので、サスペンションアーム(31)に誘導電流が発生したとしても、その影響が光学式ピックアップ(４)に及ぶことはなく、この結果、レーザパワーは一定に保たれる。
【００１６】
又、本発明に係る光磁気ディスク記録再生装置は、第２の特徴的構成において、浮上型磁気ヘッド(３)に記録信号を供給するためのリード(35)が、サスペンションアーム(31)の先端部から、アーム長手方向とは交叉する方向に伸びている。
【００１７】
上記本発明の光磁気ディスク記録再生装置においては、リード(35)に高周波数のパルス電流が流れたとしても、該リード(35)はサスペンションアーム(31)に沿って伸びていないので、サスペンションアーム(31)に誘導電流は発生しない。従って、誘導電流に起因するレーザパワーの変動が発生することはない。
【００１８】
【発明の効果】
本発明に係る光磁気ディスク記録再生装置によれば、レーザパルス磁界変調方式の採用によっても、信号記録時のレーザパワーに変動が発生することはない。
【００１９】
【発明の実施の形態】
以下、本発明を図７及び図８に示す光磁気ディスク記録再生装置に実施した形態につき、図１〜図４に沿って具体的に説明する。尚、図７及び図８に表わされた構造と同一の構造については、説明を省略する。
【００２０】
第１実施例
本実施例の光磁気ディスク記録再生装置においては、図１及び図２に示す如く、ベース部材(46)とサスペンションアーム(31)の基端部の間に、ガラスエポキシ材からなるシート状の絶縁部材(７)が介在している。ベース部材(46)の表面には、一対の位置決めピン(45)(45)が突設され、これらの位置決めピン(45)(45)が絶縁部材(７)に開設された一対の位置決め孔(71)(71)に嵌合して、絶縁部材(７)の位置決めが為されている。
【００２１】
サスペンションアーム(31)の基端部には円孔(34)が開設され、該円孔(34)を包囲する領域が絶縁部材(７)の表面に接着固定されている。
そして、サスペンションアーム(31)の円孔(34)から露出した絶縁部材(７)の表面から、サスペンションアーム(31)とは非接触状態で、金属製のビス(74)がねじ込まれて、絶縁部材(７)がベース部材(46)に固定されている。
【００２２】
本実施例の光磁気ディスク記録再生装置によれば、サスペンションアーム(31)と光学式ピックアップ(４)とが絶縁部材(７)の介在によって互いに電気的に絶縁されているので、信号記録時にフレキシブルリード(35)に高周波数のパルス電流が流れて、サスペンションアーム(31)に大きな誘導電流が発生したとしても、その影響が光学式ピックアップ(４)に及ぶことはなく、この結果、レーザパワーは一定に保たれる。
【００２３】
図９(ａ)(ｂ)(ｃ)は、信号記録時のレーザ光の強度を測定した結果を表わしており、図９(ａ)は、図５及び図６に示す従来の光磁気ディスク記録再生装置についての測定結果、図９(ｂ)は、図１及び図２に示す本発明の光磁気ディスク記録再生装置についての測定結果、図９(ｃ)は、従来の光磁気ディスク記録再生装置において磁気ヘッドに電流を流さない場合の測定結果である。
従来の光磁気ディスク記録再生装置においては、図９(ａ)の如くレーザ光の波形に大きなノイズがのっており、サスペンションアーム(31)に発生する誘導電流に起因して、レーザ光の強度が大きく変動している。これに対し、磁気ヘッドに電流を流さないときには、誘導電流は発生しないから、図９(ｃ)の如くレーザ光に殆どノイズはのらない。
一方、本発明の光磁気ディスク記録再生装置においては、図９(ｂ)に示す如くレーザ光の波形に僅かなノイズがのっているに過ぎず、図９(ｃ)に示す誘導電流が発生していない場合と殆ど同じ波形が得られている。この結果から、本発明の光磁気ディスク記録再生装置によれば、誘導電流を効果的に抑制することが出来ると言える。
【００２４】
第２実施例
本実施例の光磁気ディスク記録再生装置においては、図３に示す如く、ベース部材(46)の表面、若しくはサスペンションアーム(31)の基端部の裏面が絶縁材によって塗装され、ベース部材(46)とサスペンションアーム(31)の間に絶縁膜(72)が介在している。そして、サスペンションアーム(31)の表面からセラミックス製のビス(75)がねじ込まれて、サスペンションアーム(31)がベース部材(46)に固定されている。
【００２５】
本実施例の光磁気ディスク記録再生装置においても、サスペンションアーム(31)と光学式ピックアップ(４)とが絶縁膜(72)の介在によって互いに電気的に絶縁されているので、信号記録時にフレキシブルリード(35)に高周波数のパルス電流が流れて、サスペンションアーム(31)に大きな誘導電流が発生したとしても、その影響が光学式ピックアップ(４)に及ぶことはなく、この結果、レーザパワーは一定に保たれる。
【００２６】
第３実施例
本実施例の光磁気ディスク記録再生装置においては、図４に示す如く、浮上型磁気ヘッド(３)に記録信号を供給するためのフレキシブルリード(35)が、サスペンションアーム(31)とは直交する方向に伸びており、該フレキシブルリード(35)を介して、浮上型磁気ヘッド(３)が磁気ヘッド駆動回路(図示省略)に接続されている。
【００２７】
本実施例の光磁気ディスク記録再生装置によれば、信号記録時にフレキシブルリード(35)に高周波数のパルス電流が流れたとしても、フレキシブルリード(35)とサスペンションアーム(31)とは互いに交叉して、異なる方向に伸びているので、サスペンションアーム(31)に誘導電流が発生することはない。この結果、レーザパワーは一定に保たれる。
【図面の簡単な説明】
【図１】第１実施例の光磁気ディスク記録再生装置の要部を示す平面図である。
【図２】該光磁気ディスク記録再生装置の要部を示す一部破断側面図である。
【図３】第２実施例の光磁気ディスク記録再生装置の要部を示す一部破断側面図である。
【図４】第３実施例の光磁気ディスク記録再生装置の要部を示す平面図である。
【図５】従来の光磁気ディスク記録再生装置の要部を示す平面図である。
【図６】該光磁気ディスク記録再生装置の要部を示す一部破断側面図である。
【図７】該光磁気ディスク記録再生装置の全体構成を表わす平面図である。
【図８】該光磁気ディスク記録再生装置の全体構成を表わす側面図である。
【図９】信号記録時のレーザの光強度を表わす波形図である。
【符号の説明】
(１)  光磁気ディスク
(３)  浮上型磁気ヘッド
(31)  サスペンションアーム
(35)  フレキシブルリード
(４)  光学式ピックアップ
(44)  連結部材
(46)  ベース部材
(７)  絶縁部材
(74)  ビス
【図１】
0004049516.tif 000002
【図２】
0004049516.tif 000003
【図３】
0004049516.tif 000004
【図４】
0004049516.tif 000005
【図５】
0004049516.tif 000006
【図６】
0004049516.tif 000007
【図７】
0004049516.tif 000008
【図８】
0004049516.tif 000009
【図９】
0004049516.tif 000010